(57)【要約】【課題】演者の自然な目線を維持した状態で、装置を小型化にでき、かつ、撮影カメラのレンズに入射する光を減じることがないプロンプター装置を提供すること。【解決手段】プロンプター装置１は、駆動源６と、伝達手段７と、直線ガイド８と、移動本体８Ａと、第１表示画面３及び第２表示画面４を有する表示画面２と、第１回転機構９と、第２回転機構１１と、回転軸５ｈを有する開閉支持部材５とを備え、前記表示画面が開閉支持部材を介して開閉自在に前記移動本体に設けられ、前記第１回転機構が移動本体を直線ガイドの軸周りに所定角度回転させ、前記第２回転機構が、表示画面の水平状態において前記第１表示画面及び前記第２表示画面を二つに折畳んだ閉状態から、前記垂直状態において前記第１表示画面及び前記第２表示画面を同一平面となる開状態に前記回転軸を所定角度回転させる構成とした。【選択図】図２
2011172083.tif 000002
【特許請求の範囲】
【請求項１】
被写体を撮影する撮影カメラの上面に設置されるプロンプター装置であって、
前記撮影カメラの上面に設置される台座と、
この台座に設けた駆動源と、
この駆動源の駆動力を直線方向に伝達する伝達手段と、
この伝達手段に並列に配置されて直線方向に案内する直線ガイドと、
この直線ガイドに挿通して案内され前記伝達手段に接続継手を介して接続されて移動する移動本体と、
第１表示画面及び第２表示画面が水平状態において対面した二つに折畳まれて閉じた閉状態、及び、前記第１表示画面及び前記第２表示画面が垂直状態において同一平面となるように開いた開状態となるように開閉支持部材を介して開閉自在に前記移動本体に設けられた表示画面と、
前記移動本体を前記直線ガイドの一端側から他端側に移動したときに前記移動本体を直線ガイドの軸周りに所定角度回転させ前記表示画面を水平状態から垂直状態にさせる第１回転機構と、
前記移動本体側に設けられ、前記水平状態において前記第１表示画面及び前記第２表示画面を二つに折畳んだ閉状態から、前記垂直状態において前記第１表示画面及び前記第２表示画面を同一平面となる開状態にさせる第２回転機構と、を備え、
前記開閉支持部材は、前記第１表示画面の下端を支持する一側支持部と、前記第２表示画面の下端を支持すると共に、前記移動本体に支持される他側支持部と、を有し、前記一側支持部は、前記他側支持部側に突出して形成した一側係合部を、前記他側支持部に形成した他側係合部に回転軸を介して係合させ、
前記第２回転機構を、前記回転軸を軸周りに所定角度回転させる位置に設けたことを特徴とするプロンプター装置。
【請求項２】
前記第１回転機構は、前記移動本体部に設けたカムガイドピンと、このカムガイドピンに対向する位置で前記カムガイドピンを案内するカムガイド溝を形成したガイド溝形成体と、を備え、
前記ガイド溝形成体が、前記直線ガイドに沿った位置に設置されたことを特徴とする請求項１に記載のプロンプター装置。
【請求項３】
前記第２回転機構は、前記開閉支持部材の回転軸の下端に設けた第１傘歯車と、前記移動本体部に設けられ前記第１傘歯車に噛合する第２傘歯車とを備えることを特徴とする請求項１又は請求項２に記載のプロンプター装置。
【請求項４】
前記接続継手は、着脱自在に設けた接続ピンを介して接続されることを特徴とする請求項２又は請求項３に記載のプロンプター装置。
【請求項５】
前記移動本体は、弾性部材により前記直線ガイドの一端側に付勢されるように設置され、
前記弾性部材は、前記直線ガイドに沿って並列して配置され、前記接合継手にその一端を係合し、その他端を前記台座側に設けた取付部に係合し、
前記移動本体は、前記弾性部材により前記直線ガイドの一端側に付勢されることで、支持している表示画面が垂直状態になる方向に付勢されていることを特徴とする請求項１に記載のプロンプター装置。
【請求項６】
前記台座は、取付手段により前記撮影カメラのレンズカバーの上面に着脱自在に設定され、
前記取付手段は、前記台座と前記レンズカバーの上面の間に設けた振動防止体と、
前記台座の一側面及び他側面に設けた取付係合部と、この一側面の取付係合部に係合して前記レンズカバーの下端に沿って前記他側面の取付係合部に係合され前記台座を固定する係合バンドとを備えることを特徴とする請求項１に記載のプロンプター装置。
【発明の詳細な説明】
【技術分野】
【０００１】
本発明は、撮影カメラに取付けて使用するプロンプター装置に関する。
【背景技術】
【０００２】
一般に、スタジオ等により演者を撮影カメラで撮影する場合、演者のセリフをプロンプター装置に表示しながら行なう場合がある。ここで使用されるプロンプター装置は、カメラの直前に配置され、演者のセリフを表示画面に表示することで、演者がカメラ目線でセリフを述べることができるように構成されており、様々なものが提案されている。
【０００３】
プロンプター装置は、一例として、撮影カメラのレンズの直前に配置され、また、小型のカメラを支持して移動させることができる雲台装置についても知られている（例えば、特許文献１、２参照）。
例えば、プロンプター装置は、撮影カメラのレンズの直前に配置され、ハーフミラーを設けた上蓋と、この上蓋を開閉自在に支持する角度調整機構と、この角度調整機構を支持する底蓋と、この底蓋に設けた液晶パネルとを備えている。そして、プロンプター装置は、前記ハーフミラーが設けられている上蓋を、液晶パネルが設けられている底蓋に対して、当該ハーフミラーによる画像の反射方向にスライド自在に設けた構成としている（特許文献１）。
【０００４】
また、その他の例として、テレビカメラ用プロンプター装置が提案されている。このテレビカメラ用プロンプター装置は、テレビカメラのグリップ部に着脱自在に支持される支持アームと、この支持アームの先端側に設けた保持部と、この保持部に設けた表示器と、この表示器からの画像を被写体側に反射させ、かつ、テレビカメラのレンズ部へ外光を入射させる位置に設けたハーフミラーを有するハーフミラーアタッチメント、を備えている。そして、前記表示器は、表示する画像となる原稿のミラー画像を表示するための画像反転回路が設けられているものである（特許文献２）。
【先行技術文献】
【特許文献】
【０００５】
【特許文献１】特開２００２−１１２０７３号公報
【特許文献２】特開平０８−１３６８５０号公報
【発明の概要】
【発明が解決しようとする課題】
【０００６】
しかし、従来のプロンプター装置では、以下に示すような問題点が存在した。
従来のプロンプター装置では、レンズの直前に配置するため、ハーフミラーを傾斜した状態で支持する構成を必要とし、かつ、ハーフミラーを介して原稿文字等の画像を演者に表示するための表示器を別構成として必要とするために、全体が大型化してしまう。
【０００７】
また、従来のプロンプター装置では、ハーフミラーを使用することから、撮影カメラに入力する入射光が減少してしまうため、プロンプター装置を使用している撮影カメラで撮影したときの映像との差が生じ、場合によってはその差の補正をすることが必要になってしまった。
【０００８】
本発明は、前記した問題点に鑑み創案されたものであり、演者の自然な目線を維持した状態で、装置全体を小型化にでき、かつ、撮影カメラのレンズに入射する光を減じることがないように構成したプロンプター装置を提供することを課題とする。
【課題を解決するための手段】
【０００９】
前記した課題を解決するため、本発明に係るプロンプター装置は次のような構成とした。すなわち、プロンプター装置は、被写体を撮影する撮影カメラの上面に設置されるプロンプター装置であって、前記撮影カメラの上面に設置される台座と、この台座に設けた駆動源と、この駆動源の駆動力を直線方向に伝達する伝達手段と、この伝達手段に並列に配置されて直線方向に案内する直線ガイドと、この直線ガイドに挿通して案内され前記伝達手段に接続継手を介して接続されて移動する移動本体と、第１表示画面及び第２表示画面が水平状態において対面した二つに折畳まれて閉じた閉状態、及び、前記第１表示画面及び前記第２表示画面が垂直状態において同一平面となるように開いた開状態となるように開閉支持部材を介して開閉自在に前記移動本体に設けられた表示画面と、前記移動本体を前記直線ガイドの一端側から他端側に移動したときに前記移動本体を直線ガイドの軸周りに所定角度回転させ前記表示画面を水平状態から垂直状態にさせる第１回転機構と、前記移動本体側に設けられ、前記水平状態において前記第１表示画面及び前記第２表示画面を二つに折畳んだ閉状態から、前記垂直状態において前記第１表示画面及び前記第２表示画面を同一平面となる開状態にさせる第２回転機構と、を備え、前記開閉支持部材は、前記第１表示画面の下端を支持する一側支持部と、前記第２表示画面の下端を支持すると共に、前記移動本体に支持される他側支持部と、を有し、前記一側支持部は、前記他側支持部側に突出して形成した一側係合部を、前記他側支持部に形成した他側係合部に回転軸を介して係合させ、前記第２回転機構を、前記回転軸を軸周りに所定角度回転させる位置に設けた構成とした。
【００１０】
かかる構成により、プロンプター装置は、駆動機構の駆動源を作動させ伝達手段を介して接続継手に接続されている直線ガイドの移動本体を一端側（他端側）から他端側（一端側）に向かって移動させる。そして、プロンプター装置は、移動本体が一端側（他端側）から他端側（一端側）に移動することで、移動本体に開閉支持部材を介して設けた表示画面の第１表示画面及び第２表示画面を移動させ、第１回転機構により移動本体を所定角度回転させることで、第１表示画面及び第２表示画面を水平状態から垂直状態に立上げ、さらに、第２回転機構により第１表示画面を第２表示画面の対面している二つ折畳んだ閉状態から、第１表示画面及び第２表示画面が同一平面となるように開状態に作動する。この第２回転機構による閉状態から開状態にするときに、移動本体に支持されている開閉支持部材の他側支持部の他側係合部に回転軸を介して一側支持部の一側係合部が係合しているので、第２回転機構により回転軸が所定角度回転させられることで、一側支持部が支持している第１表示画面が閉状態から開状態に動作する。
【００１１】
さらに、本発明に係るプロンプター装置において、前記第１回転機構は、前記移動本体部に設けたカムガイドピンと、このカムガイドピンに対向する位置で前記カムガイドピンを案内するカムガイド溝を形成したガイド溝形成体と、を備え、前記ガイド溝形成体が、前記直線ガイドに沿った位置に設置された構成とした。
【００１２】
かかる構成により、プロンプター装置は、移動本体が直線ガイドに沿って移動するときに、移動本体に設けたカムガイドピンがカムガイド溝に沿って移動することで、移動本体が所定角度回転することができる。そのため、移動本体に設けた開閉支持部材の他側支持部が水平状態から垂直状態に立上ることで、表示画面を垂直状態に立上らせている。
【００１３】
また、プロンプター装置において、前記第２回転機構は、前記開閉支持部材の回転軸の下端に設けた第１傘歯車と、前記移動本体部に設けられ前記第１傘歯車に噛合する第２傘歯車とを備える構成とした。
【００１４】
かかる構成により、プロンプター装置は、移動本体が直線ガイドに沿って移動して第１回転機構により所定角度回転したときに、回転軸の下端に設けた第２回転機構の第１傘歯車が、移動本体に設けた第２傘歯車の回転により所定角度回転することで、回転軸に設けた一側支持部を作動させ第１表示画面を第２表示画面から離間しながら同一平面状となるように開状態にする。
【００１５】
さらに、プロンプター装置において、前記接続継手は、着脱自在に設けた接続ピンを介して接続される構成としてもよい。
かかる構成により、プロンプター装置は、接続ピンを外した状態では、作業者が手動で移動本体を直線ガイドに沿って移動させることで、表示画面を水平状態の閉状態から、垂直状態の開状態に開いて表示させることができるようになる。
【００１６】
そして、プロンプター装置において、前記移動本体は、弾性部材により前記直線ガイドの一端側に付勢されるように設置され、前記弾性部材は、前記直線ガイドに沿って並列して配置され、前記接合継手にその一端を係合し、その他端を前記台座側に設けた取付部に係合し、前記移動本体は、前記弾性部材により前記直線ガイドの一端側に付勢されることで、支持している表示画面が垂直状態になる方向に付勢されている構成とした。
【００１７】
かかる構成において、プロンプター装置は、駆動モータにより移動本体を移動させるときに、表示画面を水平状態から垂直状態に立ち上げるトルクが大きくかかる場合に、弾性部材により補助されて移動本体を移動させることができる。
【００１８】
また、プロンプター装置において、前記台座は、取付手段により前記撮影カメラのレンズカバーの上面に着脱自在に設定され、前記取付手段は、前記台座と前記レンズカバーの上面の間に設けた振動防止部材と、前記台座の一側面及び他側面に設けた取付係合部と、この一側面の取付係合部に係合して前記レンズカバーの下端に沿って前記他側面の取付係合部に係合され前記台座を固定する係合バンドとを備える構成とした。
【００１９】
かかる構成において、プロンプター装置は、振動防止部材により駆動機構で発生した振動を吸収して撮影カメラ側に伝えることがなく、係合バンドで簡単に撮影カメラのレンズカバーの上面に着脱自在に設置することができる。
【発明の効果】
【００２０】
本発明に係るプロンプター装置は、以下に示すような優れた効果を奏するものである。
プロンプター装置は。撮影カメラの上面に表示画面が水平状態から駆動機構を介して立ち上がる構成であるため、従来のハーフミラーを使用するものと比較して小型化でき、また、撮影カメラに入射する光を減じることもなく、演者の視線を自然に保った状態で、演者に文字等の画像を表示することができる。
【００２１】
プロンプター装置は、折畳まれた第１表示画面及び第２表示画面が開いて一つの表示画面として表示することができるので、レンズカバーの上面のエリアに収納するときにはコンパクトに収納でき、表示するときにはレンズカバーの幅を超えて大きく表示することが可能となる。
【００２２】
プロンプター装置は、第１回転機構をカムガイドピン及びカムガイド溝とすることで、移動本体が直線ガイドに沿って移動しながら、移動本体を所定角度に回転させることができる。そのため、プロンプター装置は、表示画面の移動と所定角度の回転する動作を併せて行なうことで表示画面の水平状態及び垂直状態になるまでの時間を短くすることができる。
【００２３】
プロンプター装置は、第２回転機構を第１傘歯車及び第２傘歯車にすることで、移動本体が直線ガイドに沿って移動しながら、移動本体を所定角度回転させるときに、第１表示画面を閉状態から第２表示画面と同一平面となる開状態にすることが可能となる。そのため、プロンプター装置は、表示画面の移動と、水平状態及び垂直状態と、閉状態及び開状態とを併せて行なうことができ、表示画面の収納、表示をする動作を連続して更に短時間で行なうことができる。
【００２４】
プロンプター装置は、接続継手の接続ピンを外すことで、移動本体を直線ガイドに沿って手動で移動させて表示画面を収納、表示させることが可能となる。
また、プロンプター装置は、振動防止部材を介して取付手段によりレンズカバーの上面に着脱自在に設定できるので、駆動機構の振動を振動防止体で吸収することができ、必要に応じて撮影カメラに設置することができる。
【図面の簡単な説明】
【００２５】
【図１】本発明に係るプロンプター装置を撮影カメラに設置した状態を模式的に示す斜視図である。
【図２】（ａ）、（ｂ）は、本発明に係るプロンプター装置の表側から表示画面を表示した状態及び収納した状態を示す斜視図である。
【図３】（ａ）、（ｂ）は、本発明に係るプロンプター装置の裏側から表示画面を表示した状態及び収納した状態を示す斜視図である。
【図４】（ａ）、（ｂ）は、本発明に係るプロンプター装置の開閉支持部材及び移動本体との関係を一部切欠いて示す正面図及び分解正面図である。
【図５】（ａ）〜（ｄ）は、本発明に係るプロンプター装置の第２回転機構の作動状態を、一部を省略して示す斜視図である。
【図６】本発明に係るプロンプター装置の駆動機構を、一部を省略して示す平面図である。
【図７】（ａ）、（ｂ）は、本発明に係るプロンプター装置の螺合移動体と接続継手との関係を模式的に示す分解斜視図及び平面図である。
【図８】（ａ）〜（ｄ）は、本発明に係るプロンプター装置の第１回転機構の作動状態を、一部を省略して模式的に示す斜視図である。
【図９】（ａ）〜（ｄ）は、本発明に係るプロンプター装置の駆動機構の作動状態を正側から模式的に示す斜視図である。
【図１０】（ａ）〜（ｄ）は、本発明に係るプロンプター装置の駆動機構の作動状態を裏側から模式的に示す斜視図である。
【図１１】（ａ）、（ｂ）は、本発明に係るプロンプター装置の使用状態を模式的に示す側面図である。
【図１２】（ａ１）〜（ｄ１）は、本発明に係るプロンプター装置の閉状態から開状態になる動作を表側から模式的に示す斜視図、（ａ２）〜（ｄ２）は、本発明に係るプロンプター装置の閉状態から開状態になる動作を裏側から模式的に示す斜視図である。
【発明を実施するための形態】
【００２６】
以下、本発明に係るプロンプター装置について、図面を参照して説明する。
図１及び図２に示すように、プロンプター装置１は、撮影カメラ６０のカメラカバー６１の上面に着脱自在に設置して使用され、演者のセリフ等を表示画面２に表示するものである。
図１に示すように、プロンプター装置１は、ここでは、振動防止部材５０を介して取付手段４０によりカメラカバー６１の上面に設置されている。なお、取付手段４０は、筐体３０の一側面に設けた取付係合部３１及び筐体３０の他側面に設けた取付係合部３２に係合バンド４０を介して取り付けるように構成されている。また、振動防止部材５０は、一般的なポリウレタン等により肉厚に形成されて振動を吸収する部材である。さらに、プロンプター装置１は、撮影カメラ６０において、ここではレンズ６２のカメラカバー６１の上面に設置する例として説明するが、有効な設置面があれば、撮影カメラ６０のどの位置であっても構わない。
【００２７】
図２に示すように、プロンプター装置１は、底面に台座３０ａを有する筐体３０と、その筐体３０内に収納され台座３０ａの所定の位置に設けた駆動回路等の制御機構２０と、この制御機構２０に隣り合う位置で台座３０ａに設けられ、制御機構２０により制御される駆動機構１０と、この駆動機構１０により立上がった垂直状態及び収納された水平状態となるように動作する表示画面２とを備えている。なお、表示画面２は、水平状態である収納されているきに、筐体３０の蓋（図示せず）に当接する姿勢となる。
【００２８】
そして、駆動機構１０は、ここでは、駆動源としての駆動モータ６と、伝達手段としての送りねじ機構７と、直線ガイド８と、この直線ガイド８に沿って案内される移動本体８Ａと、この移動本体８Ａの移動に伴って表示画面２を立上り及び立下りさせる第１回転機構（クランク機構）９と、表示画面２を開閉させる第２回転機構１１と、を備えている。なお、駆動機構１０は、表示画面２を立上らせる方向に付勢するコイルスプリングである弾性部材（例えばコイルスプリング）１２を設けている。
【００２９】
表示画面２は、第１表示画面３及び第２表示画面４を備え、第１表示画面３及び第２表示画面４を開閉支持部材５により隣接して設けた構成としている。
第１表示画面３及び第２表示画面４は、それぞれ枠体３ａ，４ａに液晶等の表示面３ｂ，４ｂが設けられたものである。この第１表示画面３及び第２表示画面４は、制御機構２０に接続される配線（図示せず）及び表示画面２に表示される文字、図形等の表示データを接続コード３３により外部から指令を受けて表示するようにしている。また、後記する駆動機構１０も外部からの指令により駆動するように構成されている。
【００３０】
なお、表示画面２は、第１表示画面３及び第２表示画面４を一体の表示面として扱うことができるように設定されており、例えば、文字を横方向に表示する場合には、第１表示画面３の左上から第２表示画面４の右上が、文書の第１行目となるように表示させることができるように設定されている。また、表示画面２は、例えば、文字を縦方向に表示する場合には、第２表示画面４の右上が文頭となり、第１表示画面３の左下が文末になるように表示させることができるように設定されている。
【００３１】
表示画面２は、その互いに隣接して上端となる位置に設けた上部開閉支持具５Ａと、その下端となる位置に設けた下部開閉支持具５Ｂを備える開閉支持部材５により後記する移動本体８Ａに支持されている。
開閉支持部材５は、表示画面２の第１表示画面３及び第２表示画面４とを開閉自在に支持するものである。そして、開閉支持部材５は、表示画面２の上端側に上部開閉支持具５Ａを設けると共に、表示画面２の下端側に下部開閉支持具５Ｂを設けている。なお、第２回転機構１１は、開閉支持部材５の回転軸５ｈに接続されている関係にあるが、先に開閉支持部材５の説明をして後にその構成の説明をする。
【００３２】
図２（ａ）、図３（ａ）に示すように、開閉支持部材５の上部開閉支持具５Ａは、平板の一端を水平方向に折り曲げて第１回動支持部５ｊとした上部一側支持片５ｍと、この上部一側支持片５ｍの第１回動支持部５ｊに重なる位置に、平板の一端を水平方向に折り曲げて第２回動支持部５ｋとした上部他側支持片５ｎとを備えている。そして、第１回動支持部５ｊ及び第２回動支持部５ｋに支持ピン５ｐを介在させて第１表示画面３及び第２表示画面４がその支持ピン５ｐを回転支点として作動できるように構成している。この上部開閉支持具５Ａは、第１表示画面３が第２表示画面４に対して後記する第２回転機構１１により作動するときに下部開閉支持具５Ｂの補助としてここでは設けられている。つまり、下部開閉支持具５Ｂのみでも第１表示画面３の動作を行なう場合に十分な強度を備えていれば、特に必要がないが、動作の安全性を高めるために使用される。
【００３３】
図２及び図４（ａ）、（ｂ）に示すように、下部開閉支持具５Ｂは、第１表示画面３及び第２表示画面４を開閉自在に支持するものである。この下部開閉支持具５Ｂは、蝶番状に形成された一方となる一側支持部５Ｂ１と、蝶番状に形成された他方となる他側支持部５Ｂ２とを備えている。
【００３４】
一側支持部５Ｂ１は、一側本体部５ａ、上端部５ｂ、一側係合部５ｃ及び回転軸５ｈを備えている。一側支持部５Ｂ１は、その一側本体部５ａの上端部５ｂが第１表示画面３の下端側となる枠体３ａを支持した状態で、一側係合部５ｃを他側支持部５Ｂ２に支持された状態で設置されている。そして、一側支持部５Ｂ１は、第１表示画面３が第２表示画面４に対して開閉する方向に回動できるように設けられている。
【００３５】
一側支持部５Ｂ１の下端側は、他側支持部５Ｂ２側に突出して形成された一側係合部５ｃを備えている。この一側係合部５ｃは、一つの環状部に形成され、他側支持部５Ｂ２の二股となる他側係合部５ｇの間に入り込んで係合した状態で、回転軸５ｈを固定するように構成されている。回転軸５ｈは、キー溝等により一側係合部５ｃに回転方向に対して固定されており、その上端側をオーリング等により他側係合部５ｇ側に回動自在に支持されている。そのため、一側支持部５Ｂ１は、回転軸５ｈが回転すると、その回転に伴って一側係合部５ｃも回転することで、回転軸５ｈの回転方向に作動するように構成されている。
【００３６】
また、他側支持部５Ｂ２は、他側本体部５ｄ、上端部５ｅ、下端部５ｆ、他側係合部５ｇを備えている。他側支持部５Ｂ２は、その他側本体部５ｄの上端部５ｅが第２表示画面の下端側となる枠体４ａを支持し、その他側本体部５ｄの下端部５ｆを移動本体８Ａに支持している。さらに、他側支持部５Ｂ２は、一側支持部５Ｂ１側に突出するように他側本体部５ｄから形成された他側係合部５ｇを備えている。
図４（ｂ）に示すように、他側係合部５ｇは、一側係合部５ｃを支持して係合するものである。他側係合部５ｇは、上下に所定間隔をあけて環状部５ｇ１、５ｇ２が一側に平行に突出して形成されている。この他側係合部５ｇの環状部５ｇ１、５ｇ２は、回転軸５ｈよりも大きく環の内径が形成されていて、その回転軸５ｈが挿通された状態で設置できるように構成されている。
【００３７】
他側支持部５Ｂ２は、以上の構成により、第２表示画面４を支持すると共に、一側支持部５Ｂ１を係合して支持することで、第１表示画面３の荷重も支持し、第１表示画面３及び第２表示画面４の全体を移動本体８Ａに支持させている。
【００３８】
図４（ａ）、（ｂ）及び図５（ａ）〜（ｄ）に示すように、第２回転機構１１は、第１表示画面３及び第２表示画面４が対面して重なって二つ折畳んで閉じた閉状態から、第１表示画面３と第２表示画面４とが同一平面となるように開いた開状態に作動させるものである。この第２回転機構１１は、下部開閉支持具５Ｂの一側支持部５Ｂ１に固定される回転軸５ｈの一端側に設けた第１傘歯車１１ａと、この第１傘歯車１１ａに噛合する第２傘歯車１１ｂと、を備えている。そして、第２傘歯車１１ｂは、その下端部１１ｄが後記する移動本体８Ａに固定されている。
【００３９】
このように構成された第２回転機構１１は、図５（ａ）、（ｂ）に示すように、移動本体８Ａが所定角度回転すると、第２傘歯車１１ｂに噛合している第１傘歯車１１ａを所定角度回転させ同時に回転軸５ｈを回転させる。そして、第２回転機構１１は、その回転軸５ｈの回転により一側支持部５Ｂ１を作動させることで第１表示画面３を、第２表示画面４に対面させて閉じている閉状態から、離間して開く開状態になるように作動させ、最終的には図５（ｃ）、（ｄ）に示すように、第１表示画面３と第２表示画面４とを同一平面となるように開状態とする。なお、第２回転機構１１は、開状態から閉状態にするには、図５（ｄ）から図５（ａ）に示すように、回転軸５ｈを回転させることで、第１表示画面３及び第２表示画面４とが同一平面の開状態から対面して二つに折畳まれる閉状態に作動させることができる。
【００４０】
図２（ａ）および図６に示すように、駆動モータ６は、移動本体８Ａを直線的に往復移動させるための駆動源として用いられるものである。この駆動モータ６は、設置部材６ｂにより台座３０ａから所定高さとなるように固定されている。駆動モータ６の駆動軸６ｃは、後記する送りねじ機構７の接続部７ａに接続されている。この駆動モータ６は、制御機構２０からの制御指令により正逆回転が可能なものが使用されている。
【００４１】
図３（ａ）、図６及び図７（ａ）、（ｂ）に示すように、送りねじ機構７（伝達手段）は、駆動モータ６の回転駆動を直線往復方向に変換して伝達させるものである。この送りねじ機構７は、駆動モータ６の駆動回転軸に接続する接続部７ａと、この接続部７ａの一端側に接続された送りねじ７ｂと、この送りねじ７ｂに螺合して当該送りねじ７ｂに沿って移動する螺子移動体７ｃと、この螺子移動体７ｃに設けた接続継手７ｄと、この接続継手７ｄを螺子移動体７ｃに接続するための接続ピン７ｅと、螺子移動体７ｃの下端側で送りねじ７ｂに平行に設けた螺子用ガイド７ｆと、この螺子用ガイド７ｆの一端側及び他端側に設けた一端側ストッパ７ｇ及び他端側ストッパ７ｈを備えている。また、送りねじ機構７は、接続継手７ｄの位置に後記する弾性部材１２の接続治具７ｊが設けられている。
【００４２】
接続部７ａは、駆動モータ６の駆動軸と送りねじ７ｂを接続するものである。この接続部７ａは、送りねじ７ｂを設置面から所定の高さでその設置面に平行に支持しており、駆動軸の回転を送りねじ７ｂに伝達できるように設置されている。
送りねじ７ｂは、駆動モータ６の駆動軸の回転により回転するように設置されており、螺合している螺子移動体７ｃをその回転により直線方向に往復移動させるものである。
【００４３】
図７（ａ）、（ｂ）に示すように、螺子移動体７ｃは、送りねじ７ｂに沿って移動することで、後記する直線ガイド８の移動本体８Ａを従動させて直線方向に往復移動させるためのものである。螺子移動体７ｃは、送りねじ７ｂの回転によりその送りねじ７ｂに送られて、当該送りねじ７ｂの一端側及び他端側に向かって移動する。この螺子移動体７ｃは、螺合部７ｃ１、螺子用ガイド係合部７ｃ２、ピン受部７ｃ３、ストッパ係合部７ｃ４を備えている。
【００４４】
螺子移動体７ｃは、送りねじ７ｂに螺合している螺合部７ｃ１より、螺子用ガイド７ｆの位置に設けた螺子用ガイド係合部７ｃ２が移動方向に肉厚に形成されている。螺子移動体７ｃの螺子用ガイド係合部７ｃ２は、送りねじ７ｂに平行に設けた螺子用ガイド７ｆに係合した状態で、その螺子用ガイド７ｆに沿って案内されるように構成している。
ピン受部７ｃ３は、直線ガイド８側に螺子用ガイド係合部７ｃ２から突出するように形成されている。このピン受部７ｃ３は、この接続ピン７ｅを接続するためのものである。
螺子用ガイド係合部７ｃ２は、その移動方向の他端側に、他端側の移動方向に突出してストッパ係合部７ｃ４が設けられている。ストッパ係合部７ｃ４は、螺子用ガイド７ｆの他端側ストッパ７ｈの内側に嵌り込んで係合するように形成されている。
【００４５】
なお、螺子用ガイド７ｆは、直線的に設けたガイドの一端と他端とに一端側ストッパ７ｇと他端側ストッパ７ｈが形成されている。そして、一端側ストッパ７ｇは、螺子用ガイド係合部７ｃ２の一方の側面に当接するように形成されている。また、他端側ストッパ７ｈは、ストッパ係合部７ｃ４を係合して、螺子用ガイド係合部７ｃ２の一方の側面が当接するように形成されている。他端側ストッパ７ｈは、ここでは、図３（ｂ）に示すように、直線的に設けたガイドに直交するようにアーチ状に形成されており、そのアーチ内にストッパ係合部７ｃ４（図７（ｂ）参照）を係合するように設置されている。
【００４６】
接続継手７ｄは、螺子移動体７ｃと移動本体８Ａを着脱自在に接続するものである。この接続継手７ｄは、螺子移動体７ｃ側となる一端に接続ピン７ｅの接続穴を形成して、移動本体８Ａに取付けられ、他端側が移動本体８Ａの設置部８ａ３に取付けられている。接続継手７ｄは、その一端の接続ピン７ｅを外すと、螺子移動体７ｃを手動で移動させることができる状態となる。また、接続継手７ｄは、接続治具７ｊが設けられている。
【００４７】
図７（ａ）、（ｂ）に示すように、接続治具７ｊは、後記する弾性部材１２の一端を接続するためのものである。この接続治具７ｊは、Ｌ字形状に形成され、接続継手７ｄに着脱自在に設けられている。なお、この接続治具７ｊは、その形状及び取付け位置は、特に限定されるものではなく、移動本体８Ａあるいは螺子移動体７ｃ側に設けられる構成であっても構わない。
【００４８】
弾性部材１２は、移動本体８Ａを常に他方側に付勢するように設置されている。この弾性部材１２は、ここではコイルバネが使用されており、その他端を接続継手７ｄに設けた接続治具７ｊに接続し、その一端を筐体３０に立設したバネ接続部（取付部）１２ａに接続されている。この弾性部材１２は、移動本体８Ａを一端側に付勢しており、つまり、前記した表示画面２が収納状態から立上るようになる方向に常に付勢する状態にしている。
【００４９】
直線ガイド８は、表示画面２を開閉するために、送りねじ機構７を介して伝達される直線方向の移動に追随して、直線方向に移動本体８Ａを往復移動させるためのものである。この直線ガイド８は、送りねじ７ｂに平行に設けたガイドバー８ｂと、このガイドバー８ｂを所定高さに保持するためにその一端側と他端側に設けたバー保持部８ｃ，８ｄとを備えている。そして、直線ガイド８は、このバー保持部８ｃ，８ｄに保持されたガイドバー８ｂに沿って移動本体８Ａを案内して往復移動させるように構成されている。
【００５０】
図６及び図７に示すように、移動本体８Ａは、表示画面２（第２表示画面４）を支持する本体部８ａ１と、この本体部８ａ１に連続して形成した縮径部８ａ２と、この縮径部８ａ２に連続して形成した、第２傘歯車１１ｂの設置部８ａ３とを備えている。
【００５１】
本体部８ａ１は、ここでは円筒形状の外観を備えており、表示画面２を支持する下部開閉支持具５Ｂを支持するためのものである。この本体部８ａ１は、下部開閉支持具５Ｂを支持できる大きさを備えていればよく、直方体等の多角形に形成されていてもよい。
縮径部８ａ２は、本体部８ａ１に連続して隣接して同心円となるように形成されている。この縮径部８ａ２は、第２回転機構１１の第２傘歯車１１ｂが本体部８ａ１に接触しないで回転できる範囲に設けられている。
【００５２】
そして、本体部８ａ１は、後記する第１回転機構９により所定角度回転するようにガイドバー８ｂに挿通されている。つまり、本体部８ａ１は、ガイドバー８ｂに対して回転自在に挿通された状態で、かつ、縮径部８ａ２に対して回転できるように係合された状態で構成されている。縮径部８ａ２の本体部８ａ１とは反対側の位置には、第２傘歯車１１ｂを設けた設置部８ａ３を有している。設置部８ａ３は、縮径部８ａ２と同心円となる外観の一部を備えている。この設置部８ａ３は、接続継手７ｄの他端側が取付けられており、この設置部８ａ３は、縮径部８ａ２と併せて、ガイドバー８ｂの軸周りを回転しないように構成されている。したがって、後記する第１回転機構９により所定角度回転するのは、本体部８ａ１のみである。
なお、本体部８ａ１には、後記する第１回転機構９のカムガイドピン９ａが設けられている。
【００５３】
第１回転機構９は、移動本体８Ａ（本体部８ａ１）を所定角度回転させるものである。この第１回転機構９は、移動本体８Ａ（本体部８ａ１）に設けたカムガイドピン９ａと、このカムガイドピン９ａを所定方向に移動させるカムガイド溝９ｂを形成したガイド溝形成体９ｃとを備えている。そして、カムガイド溝９ｂは、移動本体８Ａで支持している他側支持部５Ｂ２を水平状態から垂直状態（垂直状態から水平状態）までその移動本体８Ａを９０度回転させるように案内するように形成されている。カムガイド溝９ｂは、ここでは、移動本体８Ａの直線ガイド８における一端側では、カムガイドピン９ａを移動本体８Ａから垂下する位置を一方の溝端として、直線ガイド８における他端に向かうに従ってカムガイドピン９ａが徐々に水平になるように曲線をガイド溝形成体９ｃに形成されている。そして、カムガイド溝９ｂは、移動本体８Ａの直線ガイド８における他端側では、カムガイドピン９ａを移動本体８Ａが水平とする位置を他方の溝端としてガイド溝形成体９ｃに形成されている。なお、ガイド溝形成体９ｃは、カムガイド溝９ｂを形成している面が筒内周面となる曲面に形成され、その曲面が移動本体８Ａに対面するように配置されている。
【００５４】
そのため、図８（ａ）〜（ｄ）に示すように、移動本体８Ａがガイドバー８ｂに沿って一端側から他端側に向かって移動していくと、移動本体８Ａに設けたカムガイドピン９ａがカムガイド溝９ｂに沿って本体部８ａ１が移動することで、本体部８ａ１を徐々に回転させるようになる。そして、移動本体８Ａがガイドバー８ｂの他端側まで到達させると、ほぼ９０度、本体部８ａ１を回転させることになる。したがって、移動本体８Ａの本体部８ａ１が９０度回転することで、移動本体８Ａに支持されている他側支持部５Ｂ２が水平状態から垂直状態になる。
【００５５】
第２回転機構１１は、すでに説明したように、表示画面２の第１表示画面３を支持する開閉支持部材の回転軸５ｈの下端に設けた第１傘歯車１１ａと、この第１傘歯車１１ａに噛合するように、移動本体８Ａの設置部８ａ３に設けた第２傘歯車１１ｂとを備えている。そして、前記第２傘歯車は、設置部８ａ３に第１傘歯車１１ａを所定角度回転させるのに必要な範囲が固定されている。この第２回転機構１１は、第１回転機構９により移動本体８Ａが徐々に回転動作することに伴い、第２傘歯車１１ｂに噛合されている第１傘歯車１１ａが所定角度回転するようになる。
【００５６】
なお、図６に示すように、駆動機構１０の送りねじ７に隣接してマイクロスイッチ１３が配置されている。マイクロスイッチ１３は、駆動モータ６により螺子移動体７ｃ（螺子移動体７ｃの位置から移動本体８Ａの位置を推定）が現在どこにあるのかの位置情報を制御機構２０側に送るためのものである。マイクロスイッチ１３は、送りねじ７ｂに係合したスイッチ押動片１３ａと、このスイッチ押動片１３ａの一方と他方の移動端側に設けたスイッチ部１３ｂ及びスイッチ部１３ｃとを備えている。スイッチ押動片１３ａは、螺子移動体７ｃに隣接して送りねじ７ｂに螺合して設けられ、螺子移動体７ｃと一体で送りねじ７ｂに沿って移動する。このスイッチ押動片１３ａは、螺子移動体７ｃの側面よりも突出した部分が形成され、その突出した部分がスイッチ部１３ｂ，１３ｃに接触してスイッチのオンオフのいずれかを行なうことで移動本体８Ａの位置を推定できる信号を制御機構２０に送るように構成されている。
【００５７】
なお、マイクロスイッチ１３は、ここでは、制御機構２０から駆動モータ６を作動させる信号を受けて作動したときに、スイッチ押動片１３ａが送りねじ７ｂに沿って移動してスイッチ部１３ｃを押すことで、移動本体８Ａが他端側にあり表示画面２を収納している信号を制御機構２０に送るように構成されている。また、マイクロスイッチ１３は、制御機構２０から駆動モータ６を作動させる信号を受けて駆動モータ６が作動して、スイッチ押動片１３ａが送りねじ７ｂに沿って移動しスイッチ部１３ｂを押すことで、移動本体８Ａが一端側にあり表示画面２を表示している信号を制御機構２０に送るように構成されている。
【００５８】
次に、前記したプロンプター装置１の動作について説明する。
はじめに、プロンプター装置１の使用される状態を説明する。図１１（ａ）に示すように、演者は撮影カメラ６０に設置したプロンプター装置１の表示画面２を収納した状態においてカメラ目線で撮影されている。そして、図１１（ｂ）に示すように、ニュース等を読むときに、プロンプター装置１の表示画面２を表示した状態においてその表示される文字を読みながら演者が撮影されることになる。
【００５９】
以下に、プロンプター装置１の表示画面２の動作について、図１２（ａ１）〜（ｄ２）に示すように、表示画面２の全体の動作状態を説明した後に、駆動機構１０の各構成と表示画面２との関係を詳細に説明する。なお、図１２（ａ１）〜（ｄ１）と図１２（ａ２）〜（ｄ２）とは、プロンプター装置１を表側及び裏側からみた同じ状態を示している。
図１２（ａ１）、（ａ２）に示すように、表示画面２は、第１表示画面３及び第２表示画面４が対面した状態で二つに折畳んだ閉状態で水平状態として収納されている。そして、図１２（ｂ１）、（ｂ２）、（ｃ１）、（ｃ２）に示すように、駆動機構１０の移動本体８Ａを他端側から一端側に向かって移動させることで、移動本体８Ａに支持されている表示画面２は、徐々に水平状態から立ち上がりながら、第２表示画面４から第１表示画面３が離間して開くように作動する。
【００６０】
そして、駆動機構１０により移動本体８Ａが一端側に移動することで、図１２（ｄ１）、（ｄ２）に示すように、第１表示画面３と第２表示画面４が同一平面となるように開状態として表示画面２が垂直状態となるように動作する。
なお、プロンプター装置１では、垂直状態として表示している表示画面２は、駆動機構１０の移動本体８Ａを一端側から他端側に向かって移動させることで、同一平面にある第１表示画面３及び第２表示画面４を二つ折畳みとなる閉状態となるように、図１２（ｄ１）、（ｄ２）から図１２（ａ１）、（ａ２）に示すように、徐々に水平状態になって収納されることになる。
【００６１】
このような動作を行うために、駆動機構１０と表示画面２との関係を図９及び図１０を参照して次に示す。なお、図９（ａ）〜（ｄ）及び図１０（ａ）〜（ｄ）は、プロンプター装置１を表側及び裏側からみた同じ状態を示している。
図９（ａ）、図１０（ａ）に示すように、プロンプター装置１は、駆動機構１０の駆動モータ６を作動させ、送りねじ７ｂを回転させて、螺子移動体７ｃを他端側から一端側に移動させる。そうすると、螺子移動体７ｃの移動に伴って、接続継手７ｄに接続されている移動本体８Ａがガイドバー８ｂに沿って移動し、かつ、第１回転機構９のカムガイドピン９ａがカムガイド溝９ｂに沿って移動本体８Ａの本体部８ａ１を徐々に回転させるようにする。
【００６２】
そのため、移動本体８Ａ（本体部８ａ１）に支持されている第１表示画面３及び第２表示画面４が、図９（ｂ）、図１０（ｂ）に示すように、徐々に水平状態から傾斜状態に立ち上がり、移動本体８Ａの本体部８ａ１が第１回転機構９により所定角度回転することで、第２回転機構１１の第１傘歯車１１ａが第２傘歯車１１ｂにより所定角度回転する。
【００６３】
したがって、第１傘歯車１１ａの所定角度の回転により回転軸５ｈが回転することで、その回転軸５ｈに取り付けられている一側支持部５Ｂ１が作動して第１表示画面３が第２表示画面４から離間するように作動する。図９（ｃ）、図１０（ｃ）に示すように、さらに、移動本体８Ａが移動して本体部８ａ１の回転角度が大きくなることで、第１表示画面３と第２表示画面４が立ち上がり、さらに第１表示画面３から第２表示画面４が開く方向に作動する。
【００６４】
図９（ｄ）、図１０（ｄ）に示すように、移動本体８Ａが一端側に移動することで、移動本体８Ａの本体部８ａ１がさらに所定角度回転（ほぼ９０度の回転）して、第１表示画面３及び第２表示画面４が同一平面となる開状態になり、垂直状態で表示画面２が表示される。そして、移動本体８Ａは、他端側から一端側に移動するときに、常に、弾性部材１２により一端側に付勢されているので、駆動モータ６の作動が弾性部材１２により補助されている。
また、プロンプター装置１は、移動本体８Ａを他端側から一端側に移動させるために、螺子移動体７ｃ及びスイッチ押動片１３ａ（図６参照）も送りねじ７ｂの一端側に移動しており、このときに、スイッチ押動片１３ａがスイッチ部１３ｂを押動して移動本体８Ａの位置から表示画面２の状態が表示されているのか、あるいは収納されているのかの情報を制御機構２０にフィードバックしている。
【００６５】
また、プロンプター装置１は、表示画面２が垂直状態で開状態から水平状態で閉状態となるように作動するには、図９（ｄ）、図１０（ｄ）〜図９（ａ）、図１０（ａ）の順となるように、すでに説明した動作と反対の動作を順に行うことで、表示画面２を収納することができる。プロンプター装置１は、移動本体８Ａを一端側から他端側に移動させるために、螺子移動体７ｃ及びスイッチ押動片１３ａも送りねじ７ｂの他端側に移動しており、スイッチ押動片１３ａがスイッチ部１３ｃを押動することで表示画面２が収納されている状態であることを制御機構２０にフィードバックしている。
【００６６】
なお、プロンプター装置１の表示画面２の収納及び表示を行なう場合には、図示しないコントローラから接続コード３３を介して制御機構２０に指令することで駆動機構１０を操作している。そして、プロンプター装置１は、駆動機構１０が作動するときに、振動を発生しても振動防止部材５０によりその振動を吸収してカメラカバー６１側に振動の伝わることを防止しているので、撮影カメラ６０の映像に影響を与えることはない。
【００６７】
さらに、プロンプター装置１は、表示画面２の収納および表示を行なう場合に、駆動モータ６を使用することなく、カメラマン等の手動により操作することが可能である。すなわち、プロンプター装置１は、接続継手７ｄの接続ピン７ｅを外すことで、駆動モータ６からの駆動力の伝達を行なうことなく、手動で移動本体８Ａをガイドバー８ｂに沿って移動させることができる状態となる。プロンプター装置１は、移動本体８Ａをガイドバー８ｂに沿って手動で移動させることで、移動本体８Ａを所定角度回転させる第１回転機構９のカムガイドピン９ａ及びカムガイド溝９ｂ、ならびに、移動本体８Ａが所定角度回転することで作動する第２回転機構１１の第１傘歯車１１ａ及び第２傘歯車１１ｂが有効に機能する。なお、接続ピン７ｅを把持して手動で移動本体８Ａを移動させるときに、弾性部材１２は、常に表示画面２が開状態となるように付勢されている。そのため、表示画面２は、垂直状態となったときにその弾性部材１２の付勢力で安定して垂直状態を保つことが可能となる。
【００６８】
以上のように構成されたプロンプター装置１は、駆動源となる駆動モータ６の一つにより表示画面２を表示及び収納するために第１表示画面３及び第２表示画面４を開閉自在となるように作動させる構成として説明したが、他の駆動モータを配置して作動させてもよい。つまり、表示画面２を直線ガイド８の一端側から他端側に移動させるものと、表示画面２を水平状態から垂直状態に立上らせる、あるいは、垂直状態から水平状態に収納するために移動本体８Ａに設けたものと、垂直状態に立上った表示画面２の第１表示画面３を第２表示画面４から離間して同一平面となるように開状態とさせるように回転軸５ｈに設けたものと、の３つの駆動モータにより作動させるようにしても構わない。
【００６９】
また、開閉支持部材５は、回転軸５ｈが一側支持部５Ｂ１に係止されるように設けた構成として説明したが、回転軸５ｈは、一側支持部５Ｂ１の一側係合部及び他側支持部の他側係合部を挿通した状態とし、その上端を第１表示画面の下端に支持させて、その下端に第１傘歯車を設ける構成としても構わない。
【符号の説明】
【００７０】
１      プロンプター装置
２      表示画面
３      第１表示画面
３ａ    枠体
３ｂ    表示面
４      第２表示画面
４ａ    枠体
５      開閉支持部材
５Ｂ１  一側支持部
５Ｂ２  他側支持部
５ｇ１  環状部
５Ａ    上部開閉支持具
５Ｂ    下部開閉支持具
５ａ    一側本体部
５ｂ    上端部
５ｃ    一側係合部
５ｄ    他側本体部
５ｅ    上端部
５ｆ    下端部
５ｇ    他側係合部
５ｈ    回転軸
５ｊ    第１回動支持部
５ｋ    第２回動支持部
５ｍ    上部一側支持片
５ｎ    上部他側支持片
６      駆動モータ
７      機構
７ｃ１  螺合部
７ｃ２  螺子用ガイド係合部
７ｃ４  ストッパ係合部
７ａ    接続部
７ｃ    螺子移動体
７ｃ3  ピン受部
７ｄ    接続継手
７ｅ    接続ピン
７ｆ    螺子用ガイド
７ｇ    一端側ストッパ
７ｈ    他端側ストッパ
７ｊ    接続治具
８      直線ガイド
８ａ１  本体部
８ａ２  縮径部
８ａ３  設置部
８Ａ    移動本体
８ｂ    ガイドバー
８ｃ    バー保持部
９      第１回転機構
９ａ    カムガイドピン
９ｂ    カムガイド溝
９ｃ    ガイド溝形成体
１０    駆動機構
１１    第２回転機構
１１ａ  第１傘歯車
１１ｂ  第２傘歯車
１１ｄ  下端部
１２    弾性部材
１３    マイクロスイッチ
１３ａ  スイッチ押動片
１３ｂ  スイッチ部
１３ｃ  スイッチ部
２０    制御機構
３０    筐体
３０ａ  台座
３１    取付係合部
３２    取付係合部
３３    係合バンド
３４    接続コード
４０    取付手段
５０    振動防止部材
６０    撮影カメラ
６１    カメラカバー
【図１】
2011172083.tif 000003
【図２】
2011172083.tif 000004
【図３】
2011172083.tif 000005
【図４】
2011172083.tif 000006
【図５】
2011172083.tif 000007
【図６】
2011172083.tif 000008
【図７】
2011172083.tif 000009
【図８】
2011172083.tif 000010
【図９】
2011172083.tif 000011
【図１０】
2011172083.tif 000012
【図１１】
2011172083.tif 000013
【図１２】
2011172083.tif 000014